(57)【要約】【課題】装着が容易で、迅速かつ簡便に交換作業を行うことができ、麻痺や関節拘縮の人、或いは仰向け寝ができず、側臥位の姿勢しかとることができない人のように、股を大きく開くことができない人に対しても好適に用いることができる尿パッドを提供する。迅速かつ簡便に交換作業を行うことができる尿パッドを提供する。【解決手段】吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、他の尿パッドに対して止め付けることができ、尿パッド同士の連結を可能とする止着材５４Ａを備え、止着材５４Ａは、尿パッドを幅方向中心線Ｌｃで区分した左右いずれか一方の領域５６に配置されている尿パッド１Ａ。【選択図】図１Ｂ
2010119434.tif 000002
【特許請求の範囲】
【請求項１】
吸収体と、少なくとも一部が液透過性材料からなり、前記吸収体の表面を被覆するように配置されたトップシートと、液不透過性材料からなり、前記吸収体の裏面を被覆するように配置されたバックシートと、を備えた尿パッドであって、
他の尿パッドに対して止め付けることができ、尿パッド同士の連結を可能とする止着材を更に備え、
前記止着材は、前記尿パッドを幅方向中心線で区分した左右いずれか一方の領域に配置されている尿パッド。
【請求項２】
前記止着材が、フック材、粘着部及び自己接着性フィルムの群から選択される少なくとも１種の止着材であり、
当該止着材が、前記尿パッドの前端部又は後端部に配置されるとともに、前記尿パッドのトップシート側の面又はバックシート側の面に直接接合されている請求項１に記載の尿パッド。
【請求項３】
前記止着材は、その前端又は後端が前記尿パッドの前端又は後端と一致するように配置されている請求項１又は２に記載の尿パッド。
【請求項４】
前記止着材を二個備え、
前記止着材が、前記一方の領域における両側縁部に一個ずつ配置されている請求項１〜３のいずれか一項に記載の尿パッド。
【請求項５】
前記止着材が、フック材、粘着部及び自己接着性フィルムの群から選択される少なくとも１種であり、
前記止着材とテープ状基材とによって止着テープが構成され、
前記止着テープは、前記テープ状基材の先端部に前記止着材が付設されるとともに、前記テープ状基材の末端部が前記尿パッドのバックシート側の面に固定されたものである請求項１に記載の尿パッド。
【請求項６】
前記テープ状基材が、伸縮性材料からなり、長さ方向に伸張可能なものである請求項５に記載の尿パッド。
【請求項７】
前記止着テープは、その自由端が前記尿パッドの先端と一致するように配置されている請求項５又は６に記載の尿パッド。
【請求項８】
前記止着材を止め付けることが可能な被止着材を更に備えている請求項１〜７のいずれか一項に記載の尿パッド。
【請求項９】
前記尿パッドの幅方向中心線に沿って、山折り状又は谷折り状に折り曲げることを容易にするための脆弱部が形成されている請求項１〜８のいずれか一項に記載の尿パッド。
【発明の詳細な説明】
【技術分野】
【０００１】
本発明は、使い捨ておむつと同様に、吸収体と、少なくとも一部が液透過性材料からなり、吸収体の表面を被覆するように配置されたトップシートと、液不透過性材料からなり、吸収体の裏面を被覆するように配置されたバックシートとを備えた吸収性物品である尿パッドに関するものである。
【背景技術】
【０００２】
近年、おむつを交換する際の労力を軽減するため、使い捨ておむつと、尿パッド（「インナーパッド」、「補助パッド」等とも称される。）を併用することが行われている。例えば、使い捨ておむつをそのまま着用者の肌に宛がうのではなく、使い捨ておむつのトップシート側の面に尿パッドを積層し、尿パッドが積層された使い捨ておむつを着用者の肌に宛がう。こうすることで、着用者が排泄した場合でも尿パッドのみを交換すれば足り、使い捨ておむつはそのまま使用することができる。従って、従前のように排泄の度に使い捨ておむつ全体を交換する方法と比較すると、交換が容易であり、介護者の介護労力が軽減される。また、尿パッドは使い捨ておむつよりも低廉であるため、排泄の度に使い捨ておむつ全体を交換する方法と比較してコスト的にも有利である。
【０００３】
このような尿パッドとしては、例えば、尿取りパッドを使い捨ておむつに対して固定するための掛止手段（メカニカルファスナー等）を備えた尿取りパッドが開示されている（特許文献１及び２参照）。
【０００４】
【特許文献１】特開２０００−１３９９８２号公報
【特許文献２】特開２００７−２４４５０６号公報
【発明の開示】
【発明が解決しようとする課題】
【０００５】
特許文献１又は２に記載の尿取りパッドは、メカニカルファスナー等を備えているため、使い捨ておむつに対して確実に固定することができるという利点がある。そして、この尿取りパッドは、排泄の度に使い捨ておむつ全体を交換する方法と比較すれば交換作業が容易である。
【０００６】
しかしながら、使い捨ておむつと着用者の肌との間から尿取りパッドを引き出して交換する作業は依然として時間と労力を要するものであった。特に、麻痺や関節拘縮（関節が固くなり、曲げ伸ばしが困難な状態）の人、或いは仰向け寝ができず、側臥位の姿勢しかとることができない人については尿パッドの交換作業が困難であるという課題があった。即ち、麻痺や関節拘縮の人は股関節の可動域が狭く、股を大きく開くことができない場合が多い。また、側臥位の姿勢しかとることができない人も、その姿勢から股を大きく開くことが困難である。これらのケースにおいて、従前の尿パッドは、狭い股間の隙間を通して差し込むことが難しく、着用者の肌に密着するように尿パッドを配置することが困難であった。即ち、迅速・簡便に交換が可能なものとは言えず、未だ改善の余地を残すものであった。
【０００７】
本発明は、このような従来技術の有する問題点に鑑みてなされたものであり、装着が容易で、迅速かつ簡便に交換作業を行うことができ、麻痺や関節拘縮の人、或いは仰向け寝ができず、側臥位の姿勢しかとることができない人のように、股を大きく開くことができない人に対しても好適に用いることができる尿パッドを提供するものである。
【課題を解決するための手段】
【０００８】
本発明者は、前記のような従来技術の課題を解決するために鋭意検討した結果、使用済みパッドに未使用パッドを連結させた後、使用済みパッドを引き抜くことで、使用済みパッドの引き抜きと未使用パッドの装着を同時に行うことができ、迅速かつ簡便な交換が達成可能であることを見出した。そして、他のパッドとの連結用の止着材を付設するとともに、その止着材をパッドの左右いずれか一方の領域にのみ配置することによって、上記課題が解決されることに想到し、本発明を完成させた。具体的には、本発明により、以下の尿パッドが提供される。
【０００９】
［１］  吸収体と、少なくとも一部が液透過性材料からなり、前記吸収体の表面を被覆するように配置されたトップシートと、液不透過性材料からなり、前記吸収体の裏面を被覆するように配置されたバックシートと、を備えた尿パッドであって、他の尿パッドに対して止め付けることができ、尿パッド同士の連結を可能とする止着材を更に備え、前記止着材は、前記尿パッドを幅方向中心線で区分した左右いずれか一方の領域に配置されている尿パッド。
【００１０】
［２］  前記止着材が、フック材、粘着部及び自己接着性フィルムの群から選択される少なくとも１種の止着材であり、当該止着材が、前記尿パッドの前端部又は後端部に配置されるとともに、前記尿パッドのトップシート側の面又はバックシート側の面に直接接合されている前記［１］に記載の尿パッド。
【００１１】
［３］  前記止着材は、その前端又は後端が前記尿パッドの前端又は後端と一致するように配置されている前記［１］又は［２］に記載の尿パッド。
【００１２】
［４］  前記止着材を二個備え、前記止着材が、前記一方の領域における両側縁部に一個ずつ配置されている前記［１］〜［３］のいずれかに記載の尿パッド。
【００１３】
［５］  前記止着材が、フック材、粘着部及び自己接着性フィルムの群から選択される少なくとも１種であり、前記止着材とテープ状基材とによって止着テープが構成され、前記止着テープは、前記テープ状基材の先端部に前記止着材が付設されるとともに、前記テープ状基材の末端部が前記尿パッドのバックシート側の面に固定されたものである前記［１］に記載の尿パッド。
【００１４】
［６］  前記テープ状基材が、伸縮性材料からなり、長さ方向に伸張可能なものである前記［５］に記載の尿パッド。
【００１５】
［７］  前記止着テープは、その自由端が前記尿パッドの先端と一致するように配置されている前記［５］又は［６］に記載の尿パッド。
【００１６】
［８］  前記止着材を止め付けることが可能な被止着材を更に備えている前記［１］〜［７］のいずれかに記載の尿パッド。
【００１７】
［９］  前記尿パッドの幅方向中心線に沿って、山折り状又は谷折り状に折り曲げることを容易にするための脆弱部が形成されている前記［１］〜［８］のいずれかに記載の尿パッド。
【発明の効果】
【００１８】
本発明の尿パッドは、装着が容易で、迅速かつ簡便に交換作業を行うことができる。従って、麻痺や関節拘縮の人、或いは仰向け寝ができず、側臥位の姿勢しかとることができない人のように、股を大きく開くことができない人に対しても好適に用いることができる。
【発明を実施するための最良の形態】
【００１９】
以下、本発明の尿パッドを実施するための最良の形態について具体的に説明する。但し、本発明はその発明特定事項を備える尿パッドを広く包含するものであり、以下の実施形態に限定されるものではない。
【００２０】
［１］：本発明の尿パッドの特徴：
本発明の尿パッドは、図１Ａ〜図１Ｃに示す尿パッド１Ａのように、他の尿パッドに対して止め付けることができ、尿パッド同士の連結を可能とする止着材５４Ａを更に備え、止着材５４Ａが、尿パッド１Ａを幅方向中心線Ｌｃで区分した左右いずれか一方の領域５６に配置されている尿パッドである。
【００２１】
尿パッド１Ａは、止着材５４Ａを利用して、使用済みパッドと未使用パッドを連結させることが可能である。これにより、交換すべき使用済みパッドを引き出すと同時に未使用パッドを装着することが可能となる。従って、麻痺や関節拘縮等の理由により、又は側臥位の姿勢しかとることができないために、股を大きく開くことができない人が着用者である場合であっても、迅速・簡便に尿パッドを交換することが可能となる。
【００２２】
また、止着材５４Ａが、尿パッド１Ａを幅方向中心線Ｌｃで区分した左右いずれか一方の領域５６に配置されている。即ち、尿パッド１Ａは一方の領域５６のみに止着材５４Ａが付設されており、他方の領域５８に止着材が付設されていない。従って、領域５６，５８の全域に止着材５４Ａを付設した場合と比較して、使用済みパッドと未使用パッドの連結が容易である。
【００２３】
具体的に説明すると、予め止着材５４Ａやその止着部位を視認し易い方向に尿パッド１Ａを差し込んでおくことができる。図１Ｅに示す例では、図面奥側に領域５６が位置し、図面手前側に領域５８が位置するように尿パッド１Ａが配置されている。従って、図面手前側から止着材５４Ａを視認し易く、止着材５４Ａを視認しながら、確実に止着を行うことができる。このような構成は、着用者が側臥位の姿勢しかとることができない人である場合に有効である。このことは、図１Ｅの図面奥側を側臥位の下脚側、図面手前側を側臥位の上脚側と仮定することにより容易に理解することができる。
【００２４】
また、止着材５４Ａがフック材、粘着部又は自己接着性フィルム等である場合でも、止着材５４Ａが使用済みパッドに引っ掛かることなく未使用パッドを差し込むことができる。即ち、止着材５４Ａが付設された領域５６を使用済みパッドから浮かせた状態で未使用パッドを差し込めば使用済みパッドに止着材５４Ａが引っ掛かることはない。この際、未使用パッドの止着材５４Ａが付設されていない領域５８を使用済みパッドに当接させると、使用済みパッドがガイドとなり、より安定的に未使用パッドを差し込むことができる。
【００２５】
一方、領域５６，５８の双方に止着材５４Ａが付設されている場合、上記のように未使用パッドを差し込むことができず、止着材５４Ａが使用済みパッドに引っかかり易くなる。従って、使用済みパッドと未使用パッドの連結がうまくいかない場合がある。
【００２６】
［１−１］止着材：
本発明の尿パッドは、図１Ｂに示すように、他の尿パッドに対して止め付けることができ、尿パッド同士の連結を可能とする止着材５４Ａを備えている。
【００２７】
「止着材」の止着形式としては、粘着剤の粘着力を利用した止着（粘着ファスナー）；凸部材と凹部材（フック材とループ材）の機械的な結合を利用した止着（メカニカルファスナー）；フィルム同士の自己接着性を利用した止着（自己接着性フィルム）；紐の締結を利用した止着；ボタン止めを利用した止着；等を挙げることができる。中でも、他の尿パッドに対して容易に止着することができることに加え、止着力が高く、複数回の脱着を行っても止着力が低下しないメカニカルファスナーを用いることが好ましい。図１Ｂに示す尿パッド１Ａは、止着材５４Ａとしてフック材を付設した場合の例である。
【００２８】
「止着材」に相当する具体的な部材としては、粘着部、フック材、自己接着性フィルム、紐、ボタン等を挙げることができる。これらの部材を尿パッドの所定部位に付設すればよい。粘着部は粘着剤の塗工によって、フック材はホットメルト接着剤等の接着剤による接合等によって付設することができる。
【００２９】
なお、「自己接着性フィルム」とは、粘着剤を塗布しなくても、それ自体が粘着性・接着性を有している樹脂フィルムを意味する。例えば、ポリプロピレン−天然ゴム二層フィルム（商品名「ベサール」／北村製作所社製）、ポリエステル系エラストマーフィルム（商品名「メイティング・サーフェイス・ファスナー」／住友スリーエム社製）等を挙げることができる。
【００３０】
本発明の尿パッドは、図１Ｂに示すように、止着材５４Ａが、尿パッド１Ａを幅方向中心線Ｌｃで区分した左右いずれか一方の領域５６に配置されている。「左右いずれか一方の領域」とは、図１Ｂに示す尿パッド１Ａで言えば、領域５６又は領域５８である。即ち、図１Ｂに示す尿パッド１Ａとは逆に、図中右側の領域５８のみに止着材５４Ａを付設しても同様の効果を得ることができる。
【００３１】
なお、「幅方向」とは、尿パッドの前後方向と直交する方向、即ち左右方向を意味する。尿パッドは、略矩形状等、前後方向が長く、左右方向が短い形状に構成されることが多い。従って、通常は、短手方向が「幅方向」となる。「幅方向中心線」とは、図１Ａ及び図１Ｂに示すように、尿パッド１Ａの前後方向に向かって、尿パッド１Ａの幅方向中央を通過する直線である。また、尿パッド１Ａの前端Ｅ１の中点と後端Ｅ２の中点とを結ぶ直線と言い換えることもできる。
【００３２】
本発明の尿パッドの一の形態として、図１に示す尿パッド１Ａのように、止着材５４Ａが、フック材、粘着部及び自己接着性フィルムの群から選択される少なくとも１種の止着材であり、止着材５４Ａが、尿パッド１Ａの前端部又は後端部に配置されるとともに、尿パッド１Ａのトップシート１８側の面又はバックシート２０側の面に直接接合されているものが好ましい。
【００３３】
前記の止着材は平面的に構成することができ、着用者に異物感を与え難いことに加え、ホットメルト接着剤等を用いて尿パッドに簡単に付設することができ、紐やボタンと比較して止着操作が容易である点において好ましい。また、止着材が尿パッドの前端部又は後端部に配置されていることにより、未使用パッドを大きく差し込まなくても使用済みパッドに止着させ、二つの尿パッドを連結させることができる。
【００３４】
中でも、止着材の前端又は後端が尿パッドの前端又は後端と一致するように配置されていることが好ましい。止着材の前端又は後端と尿パッドの前端又は後端を一致させることにより、止着材が視認し易く、連結時の位置合せが容易になる。
【００３５】
なお、本明細書において、「前端部」とはパッド全長のうち前端Ｅ１側２０％長さの部分を意味し、「後端部」とはパッド全長のうち後端Ｅ２側２０％長さの部分を意味するものとする。尿パッドが対象形状の場合は「前端部」と「後端部」を区別する必要はない。
【００３６】
「トップシート側の面」とは、尿パッドの着用者の肌に当たる側の面を意味し、トップシートの表面のみならず、着用者の肌側に配置された他の部材（例えば、立体ギャザー等）の表面も含む。同様に、「バックシート側の面」とは、着用者の衣服に当たる側の面を意味し、バックシートの表面のみならず、着用者の衣服側に配置された他の部材（例えば、カバーシート等）の表面も含む。
【００３７】
「直接接合されている」とは、止着材自体が尿パッドのトップシート側の面等に対して接合されていて、止着材と尿パッドの間に介在する部材がないことを意味する。即ち、後述する止着テープを用いた場合のように、止着材がテープ状基材等の部材を介して尿パッドに付設された形態とは異なる形態であることを示す。
【００３８】
止着材を前端部又は後端部に配置する場合、止着材は、前端又は後端に沿って連続的又は断続的（間欠的）に配置してもよい。例えば、図１Ｂに示す尿パッド１Ａは、止着材５４Ａが尿パッド１Ａの前端部に配置され、尿パッド１Ａの前端Ｅ１に沿って連続的に付設されている。
【００３９】
但し、本発明の尿パッドは、図２Ｂに示す尿パッド１Ｂのように、止着材５４Ｂを二個備え、止着材５４Ｂが、一方の領域５６における両側縁部に一個ずつ配置されていることが好ましい。この形態は、図１Ｂに示す尿パッド１Ａのような前端Ｅ１に沿って止着材５４Ａを連続的に付設する形態と比較して、使用済みパッドを引き出した後、止着材５４Ｂを剥離し易い点で好ましい。なお、本明細書において、「両側縁部」とは領域の全幅のうち、幅方向中央の６０％幅の部分を除く両側の部分を意味するものとする。
【００４０】
［１−２］止着テープ：
本発明の尿パッドは、図２Ｂに示す尿パッド１Ｂのように、止着材６２Ａが、フック材、粘着部及び自己接着性フィルムの群から選択される少なくとも１種であり、止着材６２Ａとテープ状基材６０Ａとによって止着テープ６４Ａが構成され、止着テープ６４Ａは、テープ状基材６０Ａの先端部に止着材６２Ａが付設されるとともに、テープ状基材６０Ａの末端部が尿パッド１Ｂのバックシート２０側の面に固定されたものであることが好ましい。
【００４１】
止着材６２Ａをテープ状基材６０Ａに付設した形態は、図１Ｂに示す尿パッド１Ａのような止着材５４Ａを尿パッド１Ａに対して直接接合した形態にはない、使用済みパッドと未使用パッドを重ねなくとも連結が可能なため、連結部が嵩張らず狭い股間を通し易い点で好ましい。
【００４２】
テープ状基材の材質は特に限定されないが、不織布やプラスチックフィルム等を用いることができる。図２Ｃは、図２Ｂに示す止着テープ６４Ａを側面から見た状態を拡大して模式的に示す拡大側面図である。この止着テープ６４Ａは、プラスチックフィルムからなるテープ状基材６０Ａと、テープ状基材６０Ａの先端部に止着材６２Ａとして粘着部を形成した例である。この例では、テープ状基材６０Ａが断面Ｚ字型となるように折り畳まれた状態で収納されている（ａ図）。使用時には、止着材６２Ａ（粘着部）をテープ状基材６０Ａから剥離し（ｂ図）、止着テープ６４Ａを伸展させた状態で使用する（ｃ図）。
【００４３】
本発明の尿パッドは、図３Ｂに示す尿パッド１Ｃのように、テープ状基材６０Ｂが伸縮性材料からなり、長さ方向に伸張可能なものであることが好ましい。テープ状基材６０Ｂを伸縮性材料で構成することで、プラスチックフィルム等の非伸縮性材料でテープ状基材を構成した場合と比較して、テープ状基材の長さを短くすることができるという効果を得ることができる。
【００４４】
伸縮性材料としては、エラスチック不織布、エラストマースパンボンド不織布等を用いることができる。より具体的には、以下全て商品名で、ストラフレックス（出光ユニテック社製）、エスパンシオーネ（ＫＢセーレン社製）等を好適に用いることができる。
【００４５】
止着テープの形態は特に限定されるものではない。例えば、テープ型使い捨ておむつの止着テープや使用済み尿パッドを丸めた状態で固定して廃棄するための廃棄テープ等の構成を転用することができる。止着材としては、先に述べた粘着部又はフック材を好適に用いることができる。
【００４６】
止着テープは、その自由端が尿パッドの先端と一致するように配置されていることが好ましい。止着テープは、その自由端を尿パッドの先端と一致させることにより、止着テープを外し易くなる。
【００４７】
本発明の尿パッドは、図３Ｂに示す尿パッド１Ｃのように、他の尿パッドと連結するための止着材として、止着テープ６４Ｂに付設された止着材６２Ｂのみを有するものであってもよい。但し、図２Ｂに示す尿パッド１Ｂのように、尿パッド１Ｂに直接接合された止着材５４Ｂと止着テープ６４Ａに付設された止着材６２Ａの双方を有するものが好ましい。
【００４８】
図２Ｂに示す尿パッド１Ｂは、止着材５４Ｂによる止着が、止着テープ６４Ａの止着材６２Ａによって補強され、尿パッド同士が一層強固に連結される。従って、使用済み尿パッドを引き出す際に、未使用の尿パッドとの連結が外れて迅速な交換が妨げられる事態を有効に防止することができる。
【００４９】
［１−３］被止着材：
本発明の尿パッドは、図３Ｂに示す尿パッド１Ｃのように、止着材６２Ｂを止め付けることが可能な被止着材６８を更に備えていることが好ましい。止着材６２Ｂを被止着材６８に止着させることで、止着材６２Ｂを尿パッド１Ｃに直接止着させた場合と比較して、より強固に結合させることができ、使用済みパッドを引き出す際に尿パッド同士の連結が外れる不具合を有効に防止することができる。
【００５０】
「被止着材」としては、止着材が粘着部である場合は表面が平滑なプラスチックフィルム、フック材である場合はループ材、自己接着性フィルムの場合は自己接着性フィルム、ボタンの場合はループ糸、紐の場合は紐等を用いることができる。
【００５１】
本発明の尿パッドは、図３Ｂに示す尿パッド１Ｃのように、被止着材６８は、止着材６２Ｂが付設された領域５６における、止着材６２Ｂが配置されていない側の端部に配置することが好ましい。また、図３Ｂに示す尿パッド１Ｃのように、止着テープ６４Ｂと被止着材６８をともにバックシート２０側の面に付設すると、止着テープ６４Ｂと被止着材６８の双方を視認しながら、使用済みパッドと未使用パッドの連結を行うことができるので、迅速・簡便な尿パッドの交換に資する。
【００５２】
［１−４］脆弱部：
本発明の尿パッドは、尿パッドの幅方向中心線に沿って、山折り状又は谷折り状に折り曲げることを容易にするための脆弱部が形成されていることが好ましい。このような構造とすると、交換の際に尿パッドを折り畳み易くなるため、麻痺や関節拘縮等の理由により、又は側臥位の姿勢しかとることができないために、股を大きく開くことができない人の股間にも、尿パッドを容易に差し込むことができ、迅速・簡便な交換が可能となる。
【００５３】
「脆弱部」とは、隣接部に比して相対的に強度が低い部分を意味し、尿パッドの構成部材中、最も剛性が高い吸収体に形成されていることが好ましい。例えば、吸収体が折り畳まれた際に折り目となる位置に、脆弱部として、薄肉部又は打ち抜き部（貫通部）が形成された構造が好ましい。
【００５４】
また、「脆弱部」は、隣接部に比して相対的に強度が低ければよいので、脆弱部としたい部分の隣接部を硬化させる等の方法で強度を相対的に高くすることによって、脆弱部を形成してもよい。例えば、吸収体の幅方向中心線の両側の部分を押圧加工によって硬化させ、吸収体の幅方向中心線に沿う部分の強度を相対的に低くしたようなものであってもよい。
【００５５】
なお、「山折り状」とは、図１Ｄに示す尿パッド１Ａのように、幅方向中心線Ｌｃを折り目としてパッドのトップシート１８側が凸、バックシート２０側が凹となるように折り曲げられた形状を意味する。尿パッド１Ａは、前端Ｅ１側又は後端Ｅ２側から見ると、端面が逆Ｖ字型となるように折り曲げられた形状を呈している。
【００５６】
「谷折り状」とは、図３Ｃに示す尿パッド１Ｃのように、幅方向中心線Ｌｃを折り目としてパッドのトップシート１８側が凹、バックシート２０側が凸となるように折り曲げられた形状を意味する。尿パッド１Ｃは、前端Ｅ１側又は後端Ｅ２側から見ると、端面がＶ字型となるように折り曲げられた形状を呈している。
【００５７】
［２］尿パッドの他の構成部材：
本発明の尿パッドは、図１Ａ〜図１Ｃに示す尿パッド１Ａのように、吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、を備えるものである。
【００５８】
［２−１］吸収体：
「吸収体」は、着用者の尿等を吸収し、保持するための部材であり、吸収性材料によって構成される。通常、吸収体はトップシートとバックシートの間に挟みこまれ、両シートと一体化された状態で用いられる。
【００５９】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００６０】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。この際、ＳＡＰはフラッフパルプのマット中に混在させるか、フラッフパルプのマットの層間に層状に配置して用いればよい。
【００６１】
吸収体は、矩形状、砂時計型、ひょうたん型、Ｔ字型等、所望の形状に成形して用いることができる。吸収体は、ＳＡＰの脱落を防止し、形状安定性を付与するという目的から、親水性シートによって被包されていることが好ましい。図１Ｃに示す尿パッド１Ａは、親水性シートとしてティシュを用い、吸収体２２が上ティシュ５０と下ティシュ５２によって被包されている例である。
【００６２】
［２−２］トップシート：
トップシートは、着用者の尿等を透過させる必要から、その少なくとも一部（全部又は一部）が液透過性材料により構成される。
【００６３】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００６４】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００６５】
トップシートは、「少なくとも一部」、具体的には、トップシートを平面的に見た場合に、少なくとも吸収体の表面近傍は液透過性材料により構成されていることが好ましい。
【００６６】
［２−３］バックシート：
バックシートは、吸収体の裏面（尿パッドの装着時において着用者の肌から遠い側に位置する面）を被覆するように配置されるシートである。バックシートは、着用者の尿が尿パッド外部に漏洩してしまうことを防止する必要から、液不透過性材料によって構成される。
【００６７】
バックシートの配置位置については特に制限はない。吸収体で吸収された尿の漏れを防止するという観点から、少なくとも吸収体の存在する部分にバックシートが配置されていることが好ましい。
【００６８】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００６９】
なお、バックシートの外表面側にカバーシートを貼り合わせてもよい。このカバーシートは、バックシートを補強し、バックシートの手触り（触感）を良好なものとするために用いられる。
【００７０】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００７１】
［２−４］立体ギャザー：
本発明の尿パッドは、図１Ａ及び図１Ｃに示すように、撥水性シート３２からなり、吸収体２２の両側に配置された少なくとも一対の立体ギャザー２６（２６ａ，２６ｂ）を備えていることが好ましい。
【００７２】
立体ギャザーの構成は、従来の使い捨ておむつ、尿パッドに使用される構成を採用することができる。例えば、図１Ｃに示す尿パッド１Ａのように、撥水性シート３２の層間に伸縮材（立体ギャザー伸縮材３６）を挟み込んで固定し、その立体ギャザー伸縮材３６の収縮力によってギャザー（襞）を形成したもの等を好適に用いることができる。図１Ｃに示す尿パッド１Ａは、撥水性シート３２の折り返し部分に立体ギャザー伸縮材３６を挟み込んで固定した例である。撥水性シートは、カードエンボス、スパンボンド等の製法により製造された不織布であってもよいが、防水性の高いＳＭＳ、ＳＭＭＳ等の不織布シートが更に好ましい。
【００７３】
なお、立体ギャザーは、前記のように立体ギャザー用の撥水性シートを別途付設してもよいし、尿パッドを構成するシート材の一部によって形成してもよい。
【００７４】
［２−５］伸縮材：
本発明の尿パッドには、その両側縁部等に伸縮材を配置してもよい。この伸縮材を配置することによって、尿パッドの両側縁部に伸縮性に富むギャザーを形成することができる。従って、尿パッドの両側縁部に隙間が形成され難くなり、いわゆる横漏れを効果的に防止することができる。
【００７５】
伸縮材は、立体ギャザーの起立線より外側の部分に配置されていることが好ましい。このような構成とすると、立体ギャザーの十分な防漏効果を確保しつつ、股下部の装用感・装着感を向上させることができる。
【００７６】
伸縮材については、ギャザーの収縮の程度等を勘案した上で、構成材料、その材料の伸長率、固定時の伸長状態等を決定すればよい。
【００７７】
伸縮材としては、従来の使い捨ておむつや尿パッドで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００７８】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００７９】
前記のような伸縮材は、尿パッドの他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【００８０】
［３］使用方法：
本発明の尿パッドは、例えば以下のようにして使用することができる。以下、図１Ｅ及び図３Ｄの説明においては、図面奥側に側臥位の人の下側に位置する脚（「下脚」と記す。）、図面手前側に側臥位の人の上側に位置する脚（「上脚」と記す。）が配置されているものとして説明する。
【００８１】
図１Ａ〜図１Ｃに示す尿パッド１Ａの場合、使用済みパッド、未使用パッドとも、図１Ｄに示すような山折り状として交換を行うことが好ましい。具体的には、図１Ｅに示すように、止着材５４Ａの視認し易さを考慮して、予め、側臥位の人の下脚側（図面奥側）に止着材５４Ａが付設された領域５６が位置し、側臥位の人の上脚側（図面手前側）に止着材５４Ａが付設されていない領域５８が位置するように尿パッド１Ａを差し込んでおく。
【００８２】
前記の差し込み状態では、着用者の上脚側から止着材５４Ａが視認し易い。従って、尿パッドの交換時には、使用済みパッド７０Ａの止着材５４Ａを視認しながら、その止着材５４Ａに対して、未使用パッド７２Ａのトップシート側の面を付着させ、使用済みパッド７０Ａと未使用パッド７２Ａを連結させる。この際、未使用パッド７２Ａの止着材５４Ａが付設されていない領域５８を使用済みパッドに当接させ、使用済みパッドをガイドにして、未使用パッド７２Ａを差し込む。
【００８３】
使用済みパッド７０Ａと未使用パッド７２Ａを連結させた状態で、使用済みパッド７０Ａを後端Ｅ２側から引き出し、この使用済みパッド７０Ａと入れ替えるように未使用パッド７２Ａを装着させる。
【００８４】
一方、図３Ａ及び図３Ｂに示す尿パッド１Ｃの場合、使用済みパッド、未使用パッドとも、図３Ｄに示すような谷折り状として交換を行うことが好ましい。具体的には、図３Ｄに示すように、止着テープ６４Ｂ及び被止着材６８の視認し易さを考慮して、予め、側臥位の人の上脚側（図面手前側）に被止着材６８が付設された領域５８が位置し、側臥位の人の下脚側（図面奥側）に被止着材６８が付設されていない領域５６が位置するように尿パッド１Ｃを差し込んでおく。
【００８５】
前記の差し込み状態では、着用者の上脚側から被止着材６８が視認し易い。従って、尿パッドの交換時には、使用済みパッド７０Ｂの被止着材６８を視認しながら、その被止着材６８に対して、未使用パッド７２Ｂの止着テープ６４Ｂを付着させ、使用済みパッド７０Ｂと未使用パッド７２Ｂを連結させる。
【００８６】
使用済みパッド７０Ｂと未使用パッド７２Ｂを連結させた状態で、使用済みパッド７０Ｂを前端Ｅ１側から引き出し、この使用済みパッド７０Ｂと入れ替えるように未使用パッド７２Ｂを装着させる。
【００８７】
このような尿パッドの交換方法は、仰向け寝ができず、側臥位をとることが多い等の着用者、或いは自ら身体（特に脚部）を動かすことが困難で、脚を開き難い着用者に対して好適に用いることができる。
【実施例】
【００８８】
本発明の尿パッドについて、図面を参照しながら更に具体的に説明する。但し、本発明の尿パッドは、その発明特定事項を備えた尿パッドを全て包含するものであり、以下の実施例に限定されるものではない。
【００８９】
〔実施例１〕
実施例１の尿パッドとして、図１Ａ〜図１Ｃに示す尿パッド１Ａを作製した。この尿パッド１Ａは、成人用Ｌサイズのものであり、長さを４０ｃｍ、幅を１５ｃｍとした。
【００９０】
実施例１の尿パッドは、図１Ｄに示すような山折り状に折り曲げることを容易にするため、尿パッド１Ａの幅方向中心線Ｌｃに沿って脆弱部を形成した。尿パッド１Ａの幅方向中心線Ｌｃに沿って、吸収体２２に薄肉部を形成し、これを脆弱部とした。薄肉部は前後方向に４０ｃｍ、幅１０ｍｍの矩形状に形成した。また、薄肉部は吸収体２２の厚さ５ｍｍに対し、厚さ３ｍｍとした。
【００９１】
実施例１の尿パッドには、図１Ｂに示すように、他の尿パッドに対して止め付けることができ、尿パッド同士の連結を可能とする止着材５４Ａを付設した。止着材５４Ａはメカニカルファスナーのフック材とした。フック材は、幅７０ｍｍ、長さ２１ｍｍの矩形状とした。止着材５４Ａは、ホットメルト接着剤を用いてバックシート２０の表面に直接接合した。
【００９２】
また、止着材５４Ａは、尿パッド１Ａを幅方向中心線Ｌｃで区分した一方の領域５６における前端部に配置した。具体的には、領域５６の前端Ｅ１から２０ｍｍ離れた位置で、かつ、領域５６の側縁から３０ｍｍ離れた位置を起点とし、前端Ｅ１に沿って止着材５４Ａを連続的に付設した。
【００９３】
〔２〕実施例２：
実施例２の尿パッドとして、図２Ａ及び図２Ｂに示す尿パッド１Ｂを作製した。止着材５４Ｂの形態及び配置位置、止着テープを配置したことを除いては、実施例１の尿パッドと同様に作製した。
【００９４】
図２Ｂに示すように、尿パッド１Ｂには、他の尿パッドに対して止め付けることができ、尿パッド同士の連結を可能とする止着材５４Ｂを付設した。止着材５４Ｂはメカニカルファスナーのフック材とした。フック材のサイズは、幅２０ｍｍ、長さ２１ｍｍの矩形状とし、これを２つ用いた。
【００９５】
止着材５４Ｂは、一方の領域５６における両側縁部に一個ずつ配置した。具体的には、領域５６の前端Ｅ１から２０ｍｍ離れた位置で、かつ、領域５６の側縁から３０ｍｍ離れた位置を起点とし、前端Ｅ１に沿って止着材５４Ｂを断続的に付設した。２つの止着材５４Ｂの間隔は３０ｍｍとした。
【００９６】
また、図２Ｂに示すように、尿パッド１Ｂには、止着材６２Ａとテープ状基材６０Ａからなる止着テープ６４Ａを付設した。図２Ｃに示すように、止着テープ６４Ａは、テープ状基材６０Ａの先端部に止着材６２Ａが付設されたものとし、テープ状基材６０Ａの末端部を尿パッド１Ｂのバックシート２０の表面に固定した。この止着テープ６４Ａは、止着材５４Ｂと同じく、一方の領域５６に配置した。
【００９７】
テープ状基材６０Ａはプラスチックフィルムとし、止着材６２Ａは粘着部とした。図２Ｃに示すように、止着テープ６４Ａは、テープ状基材６０Ａが断面Ｚ字型となるように折り畳まれた状態で収納されたものを用いた。テープ状基材６０Ａは幅２０ｍｍ、長さ１５０ｍｍの帯状であり、末端部の長さ６０ｍｍの部分が接着剤６６Ａによって、バックシート２０の表面に固定され、先端部の長さ４０ｍｍの部分に止着材６２Ａ（粘着部）が形成されたものである。
【００９８】
止着テープ６４Ａは、領域５６の前端Ｅ１から３０ｍｍ離れた位置で、かつ、領域５６の側縁から５５ｍｍ離れた位置にテープ状基材の末端が位置するように付設した。
【００９９】
〔３〕実施例３：
実施例３の尿パッドとして、図３Ａ及び図３Ｂに示す尿パッド１Ｃを作製した。止着材を尿パッドに直接接合せず、テープ状基材に付設したこと、被止着材を付設したことを除いては、実施例１の尿パッドと同様に作製した。
【０１００】
実施例３の尿パッドは、図３Ｃに示すような谷折り状に折り曲げることを容易にするため、尿パッド１Ｃの幅方向中心線Ｌｃに沿って脆弱部を形成した。尿パッド１Ａの幅方向中心線Ｌｃの両側の部分を押圧加工によって硬化させ、吸収体２２の幅方向中心線Ｌｃに沿う部分の強度を相対的に低くすることにより脆弱部を形成した。脆弱部は前後方向に４０ｃｍ、幅３０ｍｍの矩形状に形成した。
【０１０１】
また、図３Ｂに示すように、尿パッド１Ｃには、止着材６２Ｂとテープ状基材６０Ｂからなる止着テープ６４Ｂを付設した。図３Ｂに示すように、止着テープ６４Ｂは、テープ状基材６０Ｂの先端部に止着材６２Ｂが付設されたものとし、テープ状基材６０Ｂの末端部を尿パッド１Ｃのバックシート２０の表面に固定した。
【０１０２】
テープ状基材６０Ｂはエラスチック不織布とし、長さ方向に伸張可能なものとした。テープ状基材６０Ｂは幅２０ｍｍ、長さ９０ｍｍの帯状であり、末端部の長さ２０ｍｍの部分が接着剤６６Ｂによって、バックシート２０の表面に固定され、先端部の長さ１５ｍｍの部分に止着材６２Ｂ（フック材）が形成されたものである。止着材６２Ａはフック材とした。フック材は、幅３０ｍｍ、長さ２０ｍｍの矩形状とした。
【０１０３】
止着テープ６４Ｂは、領域５６の前端Ｅ１から２０ｍｍ離れた位置にテープ状基材６０Ｂの末端が位置するように、かつ、２つの止着テープ６４Ｂの間隔が３０ｍｍとなるように付設した。
【０１０４】
更に、図３Ｂに示す尿パッド１Ｃには、止着材６２Ｂを止め付けることが可能な被止着材６８を付設した。被止着材としては、幅３０ｍｍ、長さ３０ｍｍのループ材を用いた。
【０１０５】
尿パッド１Ｃにおいては、被止着材６８を、止着テープ６４Ｂが付設された領域５６における、止着テープ６４Ｂが配置されていない側の端部（後端部）に配置した。被止着材６８は、領域５６の後端Ｅ２から１０ｍｍ離れた位置に被止着材６８の末端が位置するように、かつ、２つの被止着材６８の間隔が２０ｍｍとなるように付設した。
【産業上の利用可能性】
【０１０６】
本発明の尿パッドは、乳幼児用又は介護を必要とする高齢者や障害者等の成人用の尿パッドとして利用することができる。中でも、麻痺や関節拘縮等を抱える人用の尿パッドとして特に好適に用いることができる。
【図面の簡単な説明】
【０１０７】
【図１Ａ】本発明の尿パッドの一の実施形態を示す概略平面図である。
【図１Ｂ】図１Ａに示す尿パッドの概略底面図である。
【図１Ｃ】図１Ａに示す尿パッドのＡ−Ａ’断面を模式的に示す概略断面図である。
【図１Ｄ】図１Ａに示す尿パッドを折り曲げた際のＡ−Ａ’断面を模式的に示す概略断面図である。
【図１Ｅ】図１Ａに示す尿パッドの使用方法を模式的に示す概略斜視図である。
【図２Ａ】本発明の尿パッドの別の実施形態を示す概略平面図である。
【図２Ｂ】図２Ａに示す尿パッドの概略底面図である。
【図２Ｃ】図２Ａに示す尿パッドの止着テープを側面から見た状態を模式的に示す概略側面図である。
【図３Ａ】本発明の尿パッドの更に別の実施形態を示す概略平面図である。
【図３Ｂ】図３Ａに示す尿パッドの概略底面図である。
【図３Ｃ】図３Ａに示す尿パッドを折り曲げた際のＡ−Ａ’断面を模式的に示す概略断面図である。
【図３Ｄ】図３Ａに示す尿パッドの使用方法を模式的に示す概略斜視図である。
【符号の説明】
【０１０８】
１Ａ，１Ｂ，１Ｃ：尿パッド、１８：トップシート、２０：バックシート、２２：吸収体、２６，２６ａ，２６ｂ：立体ギャザー、３２：撥水性シート、３６：立体ギャザー伸縮材、５０：上ティシュ、５２：下ティシュ、５４Ａ，５４Ｂ：止着材、５６，５８：領域、６０Ａ，６０Ｂ：テープ状基材、６２Ａ，６２Ｂ：止着材、６４Ａ，６４Ｂ：止着テープ、６６Ａ，６６Ｂ：接着剤、６８：被止着材、７０Ａ，７０Ｂ：使用済みパッド、７２Ａ，７２Ｂ：未使用パッド、Ｌｃ：幅方向中心線、Ｅ１：前端、Ｅ２：後端。
【図１Ａ】
2010119434.tif 000003
【図１Ｂ】
2010119434.tif 000004
【図１Ｃ】
2010119434.tif 000005
【図１Ｄ】
2010119434.tif 000006
【図１Ｅ】
2010119434.tif 000007
【図２Ａ】
2010119434.tif 000008
【図２Ｂ】
2010119434.tif 000009
【図２Ｃ】
2010119434.tif 000010
【図３Ａ】
2010119434.tif 000011
【図３Ｂ】
2010119434.tif 000012
【図３Ｃ】
2010119434.tif 000013
【図３Ｄ】
2010119434.tif 000014